(57)【要約】  貯蔵室（３）の前面を扉（１３、１４）により開閉し、扉（１３、１４）を閉じた際にパッキン（２１、２２）により貯蔵室３を密閉する冷蔵庫（１）において、扉（１３、１４）を閉じた際にパッキン（２１、２２）よりも庫内側にパッキン（２１、２２）の長手方向に延びるスリット状に形成されるとともにパッキン（２１、２２）の長手方向に直交する方向に冷気の流路を形成する狭窄通路（３１）を備え、狭窄通路（３１）の対向する側壁の少なくとも一方が、パッキン（２１、２２）の長手方向に複数並設または長手方向に延設した溝部（３５）と、溝部（３５）により区画される陸部（３７）とを有する。
2018211716.tif 000002
【特許請求の範囲】
【請求項１】
貯蔵室の前面を扉により開閉し、前記扉を閉じた際にパッキンにより前記貯蔵室を密閉する冷蔵庫において、前記扉を閉じた際に前記パッキンよりも庫内側に前記パッキンの長手方向に延びるスリット状に形成されるとともに冷気の流通方向が前記長手方向に直交する狭窄通路を備え、前記狭窄通路の対向する側壁の少なくとも一方が、前記長手方向に複数並設または前記長手方向に延設した溝部と、前記溝部により区画される陸部とを有することを特徴とする冷蔵庫。
【請求項２】
前記溝部が前記狭窄通路の両側壁に設けられ、前記狭窄通路の一方の側壁上の前記陸部と他方の側壁上の前記溝部とが対向することを特徴とする請求項１に記載の冷蔵庫。
【請求項３】
前記狭窄通路の両側壁上の前記陸部が両側壁の対向する方向に離れて配置されることを特徴とする請求項２に記載の冷蔵庫。
【請求項４】
前記狭窄通路の一方の側壁上の前記陸部が他方の側壁上の前記溝部内に進入することを特徴とする請求項２に記載の冷蔵庫。
【請求項５】
前記扉が左右に並設して枢支されるとともに、両方の前記扉の対向する側面上にそれぞれ前記パッキンが配され、前記狭窄通路が両方の前記扉の対向する側面の間に形成されることを特徴とする請求項１〜請求項４のいずれかに記載の冷蔵庫。
【請求項６】
前記パッキンが前記扉と前記貯蔵室の周壁の前面との間に配され、前記狭窄通路が前記扉と前記貯蔵室の周壁の前面との間または前記扉と前記貯蔵室の周壁の内面との間に形成されることを特徴とする請求項１〜請求項４のいずれかに記載の冷蔵庫。
【請求項７】
発泡断熱材が前記陸部の内部に充填されることを特徴とする請求項１〜請求項６のいずれかに記載の冷蔵庫。
【請求項８】
前記溝部を前記長手方向に並設し、前記狭窄通路の前記溝部上の流路断面において、前記狭窄通路の両側壁の沿面距離の和をＴ、前記狭窄通路の断面積をＡ、前記狭窄通路の両側壁の間隔の最小値をｄとした時に、Ｔ／Ａ＞２／ｄであることを特徴とする請求項１〜請求項７のいずれかに記載の冷蔵庫。
【発明の詳細な説明】
【技術分野】
【０００１】  本発明はパッキンにより貯蔵室を密閉する冷蔵庫に関する。
【背景技術】
【０００２】  パッキンにより貯蔵室を密閉する従来の冷蔵庫は特許文献１に開示されている。この冷蔵庫は発泡断熱材を充填した断熱箱体に貯蔵室が設けられ、鉛直な枢支軸で枢支される扉により貯蔵室が開閉される。貯蔵室の周壁は断熱箱体により形成され、扉の周部に配した環状のパッキン（ガスケット）が貯蔵室の周壁の前面に当接して貯蔵室が密閉される。【０００３】  貯蔵室の周壁内面の前端には段差部が形成される。扉の周部には後方に突出する突出部が設けられる。扉を閉じた際に段差部内に突出部が進入し、段差部と突出部との間にスリット状の通路が形成される。これにより、該通路を通過してパッキンに衝突する冷気の流速が低下し、パッキン上の結露を防止することができる。
【先行技術文献】
【特許文献】
【０００４】
【特許文献１】特開２０１２−２０２５８２号公報（第５頁〜第６頁、第１３図）
【発明の概要】
【発明が解決しようとする課題】
【０００５】  しかしながら、上記従来の冷蔵庫によると、段差部と突出部との間の通路の幅を狭く形成すると扉の開閉時に突出部が段差部に干渉する虞がある。このため、通路が干渉を回避する所定幅に形成され、パッキン上の結露を十分防止できない問題があった。また、パッキンの近傍に結露防止用のヒータを設けた場合には、ヒータの駆動時間が長くなるため消費電力が大きくなる問題があった。【０００６】  本発明は、パッキンの結露をより低減できる冷蔵庫を提供することを目的とする。また本発明は省電力化を図ることのできる冷蔵庫を提供することを目的とする。
【課題を解決するための手段】
【０００７】  上記目的を達成するために本発明は、貯蔵室の前面を扉により開閉し、前記扉を閉じた際にパッキンにより前記貯蔵室を密閉する冷蔵庫において、前記扉を閉じた際に前記パッキンよりも庫内側に前記パッキンの長手方向に延びるスリット状に形成されるとともに前記長手方向に直交する方向に冷気の流路を形成する狭窄通路を備え、前記狭窄通路の対向する側壁の少なくとも一方が、前記長手方向に複数並設または前記長手方向に延設した溝部と、前記溝部により区画される陸部とを有することを特徴としている。【０００８】  また本発明は、上記構成の冷蔵庫において、前記溝部が前記狭窄通路の両側壁に設けられ、前記狭窄通路の一方の側壁上の前記陸部と他方の側壁上の前記溝部とが対向することを特徴としている。【０００９】  また本発明は、上記構成の冷蔵庫において、前記狭窄通路の両側壁上の前記陸部が両側壁の対向する方向に離れて配置されることを特徴としている。【００１０】  また本発明は、上記構成の冷蔵庫において、前記狭窄通路の一方の側壁上の前記陸部が他方の側壁上の前記溝部内に進入することを特徴としている。【００１１】  また本発明は、上記構成の冷蔵庫において、前記扉が左右に並設して枢支されるとともに、両方の前記扉の対向する側面上にそれぞれ前記パッキンが配され、前記狭窄通路が両方の前記扉の対向する側面の間に形成されることを特徴としている。【００１２】  また本発明は、上記構成の冷蔵庫において、前記パッキンの近傍にヒータが設けられることを特徴としている。【００１３】  また本発明は、上記構成の冷蔵庫において、前記パッキンの後方で前記扉の対向する両側面が後方を互いに離れる方向に傾斜し、前記溝部が上下方向に並設されることを特徴としている。【００１４】  また本発明は、上記構成の冷蔵庫において、前記パッキンが前記扉と前記貯蔵室の周壁の前面との間に配され、前記狭窄通路が前記扉と前記貯蔵室の周壁の前面または周壁の内面との間に形成されることを特徴としている。【００１５】  また本発明は、上記構成の冷蔵庫において、隣接する前記溝部と前記陸部との境界壁が傾斜することを特徴としている。【００１６】  また本発明は、上記構成の冷蔵庫において、発泡断熱材が前記陸部の内部に充填されることを特徴としている。【００１７】  また本発明は、上記構成の冷蔵庫において、前記溝部を前記長手方向に並設し、前記狭窄通路の前記溝部上の流路断面において、前記狭窄通路の両側壁の沿面距離の和をＴ、前記狭窄通路の断面積をＡ、前記狭窄通路の両側壁の間隔の最小値をｄとした時に、Ｔ／Ａ＞２／ｄであることを特徴としている。
【発明の効果】
【００１８】  本発明によると、パッキンの庫内側にスリット状の狭窄通路を形成し、狭窄通路の対向する側壁の少なくとも一方が、パッキンの長手方向に複数並設またはパッキンの長手方向に延設した溝部と、溝部により区画される陸部とを有する。これにより、狭窄通路の圧力損失を大きくすることができ、パッキンに到達する冷気を削減することができる。従って、パッキン上の結露を低減することができる。また、パッキンの近傍にヒータを設けた場合には、ヒータの駆動時間を削減して冷蔵庫の省電力化を図ることができる。
【図面の簡単な説明】
【００１９】
【図１】本発明の第１実施形態の冷蔵庫を示す正面図
【図２】本発明の第１実施形態の冷蔵庫の本体部を示す正面図
【図３】本発明の第１実施形態の冷蔵庫の冷蔵室の扉を示す上面図
【図４】本発明の第１実施形態の冷蔵庫の冷蔵室の扉の突合せ部分を拡大した上面図
【図５】本発明の第１実施形態の冷蔵庫の冷凍室を示す側面断面図
【図６】本発明の第１実施形態の冷蔵庫の冷凍室を示す上面断面図
【図７】本発明の第１実施形態の冷蔵庫の狭窄通路の圧力損失を説明する斜視図
【図８】本発明の第１実施形態の冷蔵庫の狭窄通路の圧力損失を説明する斜視図
【図９】本発明の第１実施形態の冷蔵庫の狭窄通路の圧力損失を説明する斜視図
【図１０】本発明の第１実施形態の冷蔵庫の狭窄通路の圧力損失を説明する斜視図
【図１１】本発明の第１実施形態の冷蔵庫の狭窄通路の圧力損失を説明する斜視図
【図１２】本発明の第１実施形態の冷蔵庫の冷蔵室の扉を示す背面斜視図
【図１３】本発明の第１実施形態の冷蔵庫の冷蔵室の扉間の狭窄通路を示す背面断面図
【図１４】図６のＢ−Ｂ断面図
【図１５】図５のＡ−Ａ断面図
【図１６】本発明の第１実施形態の冷蔵庫の冷凍室の狭窄通路を示す断面図
【図１７】本発明の第２実施形態の冷蔵庫の冷蔵室の扉を示す上面図
【図１８】本発明の第２実施形態の冷蔵庫の冷凍室を示す側面断面図
【図１９】本発明の第２実施形態の冷蔵庫の冷凍室を示す上面断面図
【図２０】本発明の第３実施形態の冷蔵庫の冷蔵室の扉間の狭窄通路を示す背面断面図
【図２１】本発明の第４実施形態の冷蔵庫の冷蔵室の扉間の狭窄通路を示す背面断面図
【発明を実施するための形態】
【００２０】  ＜第１実施形態＞  以下に図面を参照して本発明の実施形態を説明する。図１は第１実施形態の冷蔵庫の正面図を示している。冷蔵庫１は内箱２ａと外箱２ｂとの間に発泡ウレタン等の発泡断熱材２０（いずれも図５参照）を充填した断熱箱体から成る本体部２を備えている。
【００２１】  本体部２の上部には冷蔵室３が配され、冷蔵室３の下方に製氷室５及び冷凍室６が左右に並設される。製氷室５及び冷凍室６の下方には冷凍室７が配され、冷凍室７の下方に野菜室７が配される。製氷室５、冷凍室６及び冷凍室７は本体部２の後部でそれぞれ連通した冷凍空間を形成する。
【００２２】  冷蔵室３の前面は回動式の扉１３及び扉１４により開閉される。扉１３及び扉１４は本体部２の左右の端部に設けた鉛直な枢支軸１３ａ及び枢支軸１４ａによりそれぞれ枢支される。
【００２３】  製氷室５の前面は貯氷ケース（不図示）と一体にスライドする扉１５により開閉される。冷凍室６の前面は収納ケース（不図示）と一体にスライドする扉１６により開閉される。冷凍室７の前面は収納ケース７ｃ（図５参照）と一体にスライドする扉１７により開閉される。野菜室８の前面は収納ケース（不図示）と一体にスライドする扉１８により開閉される。扉１３〜１８には発泡断熱材２０（図５参照）が充填される。
【００２４】  以下の説明において、冷蔵庫１を正面に見て左右方向をＸ方向、奥行方向をＹ方向、上下方向をＺ方向という場合がある。
【００２５】  図２は本体部２の正面図を示している。冷蔵室３と冷凍空間との間は発泡断熱材２０（図５参照）を充填した断熱壁９により仕切られる。冷凍空間と野菜室８との間は発泡断熱材２０（図５参照）を充填した断熱壁１０により仕切られる。製氷室５及び冷凍室６は本体部２の前部に横設して発泡断熱材２０（図５参照）を充填した仕切部１２により冷凍室７と仕切られる。製氷室５と冷凍室６との間は仕切部１２上に立設される仕切壁１１により仕切られる。
【００２６】  冷蔵室３の背面には複数の冷気の吐出口３ａが開口し、冷凍室７の背面には冷気の吐出口７ａ及び戻り口７ｂが開口する。冷凍室７の後方には冷凍サイクルを構成する冷却器（図５参照）を配した冷気通路５４（図５参照）が設けられる。冷却器５３により生成された冷気は送風機（不図示）により吐出口３ａ及び吐出口７ａから冷蔵室３及び冷凍室７に吐出される。
【００２７】  冷凍室７に吐出された冷気は冷凍空間を流通し、戻り口７ｂを介して冷却器５３に戻る。冷蔵室３に吐出された冷気は冷蔵室３内を流通した後、連通路（不図示）を介して野菜室８に流入する。野菜室８に流入した冷気は野菜室８内を流通した後、戻り口（不図示）を介して冷却器５３に戻る。
【００２８】  扉１３及び扉１４は閉じた際に冷蔵室３の周壁の前面に接する環状のパッキン２３及びパッキン２４を背面に有している。同様に、扉１５は閉じた際に製氷室５の周壁の前面に接する環状のパッキン２５を背面に有している。扉１６は閉じた際に冷凍室６の周壁の前面に接する環状のパッキン２６を背面に有している。扉１７は閉じた際に冷凍室７の周壁の前面に接する環状のパッキン２７を背面に有している。扉１８は閉じた際に野菜室８の周壁の前面に接する環状のパッキン２８を背面に有している。各パッキン２３〜２８には本体部２の前面に吸着する磁石（不図示）が設けられる。
【００２９】  また、左右に並設した扉１３及び扉１４の互いに対向する側面上にはパッキン２１及びパッキン２２（図３参照）がそれぞれ設けられる。パッキン２１及びパッキン２２には磁石２１ａ及び磁石２２ａ（図３参照）が設けられる。
【００３０】  図３は冷蔵室３の扉１３及び扉１４の上面図を示しており、図４は扉１３及び扉１４の突合せ部分の拡大図を示している。扉１３及び扉１４には発泡ウレタン等の発泡断熱材２０（図１３参照）が充填されている。扉１３の背面側は樹脂成形品のライナー１３ｂにより覆われ、ライナー１３ｂの周部には冷蔵室３内に突出する環状の突出部１３ｃが設けられる。同様に、扉１４の背面側はライナー１４ｂにより覆われ、ライナー１４ｂの周部には冷蔵室３内に突出する環状の突出部１４ｃが設けられる。
【００３１】  また、扉１３の背面及び冷蔵室３の周壁の前面には、詳細を後述するように狭窄通路４１（図１６参照）を形成する一対の通路形成部４０が設けられる。同様に、扉１４の背面及び冷蔵室３の周壁の前面には、狭窄通路４１を形成する一対の通路形成部４０が設けられる。
【００３２】  扉１３及び扉１４の互いに対向する側面上には長手方向を上下方向（Ｚ方向）に配したパッキン２１及びパッキン２２がそれぞれ設けられる。パッキン２１は磁石２１ａを有し、パッキン２２は磁石２２ａを有している。これにより、扉１３及び扉１４を閉じた際にパッキン２１とパッキン２２とが吸着して冷蔵室３が密閉される。尚、磁石２１ａ及び磁石２２ａの一方を鉄板等の磁性体により形成してもよい。パッキン２１及びパッキン２２の近傍には結露を防止するヒータ５２が設けられる。
【００３３】  ライナー１３ｂ及びライナー１４ｂ上にはパッキン２１及びパッキン２２の庫内側に狭窄通路３１を形成する一対の通路形成部３０が設けられる。狭窄通路３１は扉１３及び扉１４を閉じた際に両方の扉１３、１４の対向する側面の間にＺ方向に延びるスリット状に形成され、Ｙ方向に冷気が流通する。通路形成部３０をライナー１３ｂ及びライナー１４ｂと別部材により形成してもよい。
【００３４】  また、扉１３及び扉１４の通路形成部３０を配した側面は一方の開閉時に他方の側面に干渉しないように後方を互いに離れる方向に傾斜する。通路形成部３０の表面を上面視流線形に形成すると、扉１３及び扉１４の干渉を防止して狭窄通路３１のＸ方向の幅を小さくできるのでより望ましい。
【００３５】  図５、図６は冷凍室７の側面断面図及び上面断面図を示している。冷凍室７の扉１７には発泡ウレタン等の発泡断熱材２０が充填されている。扉１７の背面側は樹脂成形品のライナー１７ｂにより覆われ、ライナー１７ｂの周部には冷凍室７内に突出する環状の突出部１７ｃが設けられる。
【００３６】  扉１７には収納ケース７ｃが一体に設けられる。冷凍室７の両側壁上には前後方向に延びるレール７ｄが配される。レール７ｄの案内によって扉１７が収納ケース７ｃと一体に前後方向にスライドして冷凍室７を開閉する。
【００３７】  扉１７の背面及び冷凍室７の周壁の前面には狭窄通路４１（図１６参照）を形成する一対の環状の通路形成部４０が設けられる。通路形成部４０は環状のパッキン２７よりも庫内側かつ突出部１７ｃの外周側に配される。本体部２の通路形成部４０は内箱２ａにより形成され、扉１７の通路形成部４０はライナー１７ｂにより形成される。通路形成部４０を内箱２ａ及びライナー１７ｂと別部材により形成してもよい。
【００３８】  本体部２の発泡断熱材２０内には冷凍サイクルを構成する放熱パイプ５１が埋設されている。冷蔵室３及び冷凍室７の庫内温度に応じて冷凍サイクルが運転されると放熱パイプ５１が昇温され、パッキン２７の結露が防止される。
【００３９】  尚、扉１３及び扉１４の背面の周部に設けられる通路形成部４０は扉１７の通路形成部４０と同様に構成される。また、扉１５、扉１６及び扉１８にも同様の構成の通路形成部４０が設けられる。
【００４０】  本実施形態は通路形成部３０及び通路形成部４０により形成される狭窄通路３１及び狭窄通路４１の圧力損失を大きくし、パッキン２１〜２８に到達する冷気を削減する。以下、図７〜図１１を参照して狭窄通路３１及び狭窄通路４１の圧力損失を説明する。
【００４１】  図７は両側壁が平行平面のスリット状の通路Ｒを示す斜視図であり、長手方向の一部を取り出して示している。通路Ｒには矢印Ｃの方向に冷気が流通する。通路Ｒの表面積をＳ、流路断面積をＡ、壁面のせん断応力をτとすると、圧力損失ΔＰは式（１）で表わされる。
【００４２】  ΔＰ＝τＳ／Ａ  ・・・（１）
【００４３】  通路Ｒの長手方向の単位長さをＬ、奥行方向の長さをＷ、スリットの幅をｄとすると、式（２）及び式（３）の関係が成り立つ。ここで、本実施形態では通路Ｒの上下面が壁面の存在しない面であるため、通路Ｒの上下面を表面積Ｓに加算していない。
【００４４】  Ｓ／Ａ＝２ＬＷ／Ｌｄ＝２Ｗ／ｄ  ・・・（２）  ΔＰ＝２τＷ／ｄ  ・・・（３）
【００４５】  これにより、Ｓ／Ａが２Ｗ／ｄよりも大きいと、両側壁が平面の通路Ｒよりも圧力損失ΔＰを大きくすることができる。この時、奥行方向に断面形状が同じであれば、冷気の流通方向（奥行方向）に垂直な流路断面上において、両側壁の沿面距離の和をＴとして式（４）が成立すれば、両側壁が平面すなわち流路断面上で両側壁が平行な直線の場合よりも圧力損失ΔＰを大きくできる。
【００４６】  Ｔ／Ａ＞２／ｄ  ・・・（４）
【００４７】  図８は一方の側壁に奥行方向に平行な溝部Ｍを設けた通路Ｒを示す斜視図である。溝部Ｍの深さをｅ、スリットの長手方向の溝部Ｍの長さをｆとすると、Ｔ／Ａは式（５）で表わされる。
【００４８】  Ｔ／Ａ＝２（Ｌ＋ｅ）／（Ｌｄ＋ｅｆ）  ・・・（５）
【００４９】  例えば、Ｌを長手方向の溝部Ｍの周期として、Ｌ＝ｅ＝ｄ、ｆ＝０．５Ｌとすると、Ｔ／Ａ≒２．６／ｄとなる。このため、溝部Ｍの大きさを適切に選択することにより、図７の通路Ｒよりも圧力損失が大きくなる。
【００５０】  図９は両方の側壁に奥行方向に平行な溝部Ｍを設けた通路Ｒを示す斜視図である。一方の側壁の溝部Ｍにより区画される陸部Ｎは他方の側壁の溝部Ｍに対向して配される。また溝部Ｍと陸部Ｎとの境界壁は傾斜し、両側壁上の境界壁が平行に形成される。これにより、スリットの幅ｄが一定となり、図７に対して幅ｄ及び断面積Ａが同じで両側壁の沿面距離の和Ｔが増加する。このため、溝部Ｍの大きさに拘わらず図７の通路Ｒよりも圧力損失が大きくなる。
【００５１】  尚、スリットの幅は溝部Ｍ上で大きくなり、陸部Ｎ上で小さくなる。また、スリットの幅は両側壁の対向位置によってそれぞれ変化する。従って、図８のようにスリットの幅ｄが一定とならない場合は、式（４）におけるｄは流路断面内のスリットの幅の最小値をとればよい。また、奥行方向に幅ｄが一様に変化する場合は奥行方向の微小長さΔＷ毎に奥行方向に垂直な流路断面上で式（４）が成立すればよい。
【００５２】  図１０は一方の側壁に長手方向に平行な溝部Ｍを設けた通路Ｒを示す斜視図である。通路Ｒの奥行方向に溝部Ｍ以外の領域は図７と同じである。溝部Ｍを形成した領域のＳ／Ａは溝部Ｍの深さをｅ、奥行方向の溝部Ｍの長さをｇとすると、式（６）で表わされる。
【００５３】  Ｓ／Ａ＝２（ｇ＋ｅ）／（ｄ＋ｅ）  ・・・（６）
【００５４】  例えば、ｅ＝ｄ＝２ｇとすると、Ｓ／Ａ＝３ｇ／ｄとなる。溝部Ｍがない場合は該領域のＳ／Ａ＝２ｇ／ｄであるため、溝部Ｍの大きさを適切に選択することにより、図７の通路Ｒよりも圧力損失が大きくなる。
【００５５】  図１１は両方の側壁に奥行方向に平行な溝部Ｍを設けた通路Ｒを示す斜視図である。一方の側壁の溝部Ｍにより区画される陸部Ｎは他方の側壁の溝部Ｍに対向して配される。また溝部Ｍと陸部Ｎとの境界壁は傾斜し、両側壁上の境界壁が平行に形成される。これにより、スリットの幅ｄが一定となり、図７に対して幅ｄ及び断面積Ａが同じで両側壁の表面積Ｓが増加する。このため、溝部Ｍの大きさに拘わらず図７の通路Ｒよりも圧力損失が大きくなる。
【００５６】  従って、スリット状の通路Ｒの少なくとも一方の側壁上に溝部Ｍを設けることにより、通路Ｒの圧力損失を大きくすることができる。また、通路Ｒの両方の側壁上に溝部Ｍを設け、一方の側壁の溝部Ｍと他方の側壁の陸部Ｎとが対向することにより、容易に圧力損失を大きくすることができる。
【００５７】  図１２は冷蔵室３の扉１３の背面から見た斜視図を示している。扉１４（図４参照）も同様に形成される。扉１３及び扉１４の側面に設けた通路形成部３０により、パッキン２１及びパッキン２２の長手方向（Ｚ方向）に延びるスリット状の狭窄通路３１（図４参照）が形成される。狭窄通路３１内を冷気はＹ方向に流通し、通路形成部３０の表面は狭窄通路３１の側壁３１ａ及び側壁３１ｂ（図４参照）を形成する。
【００５８】  狭窄通路３１の両側壁３１ａ、３１ｂ上にはＺ方向に並設してＹ方向に延びる複数の溝部３５及びＹ方向に並設してＺ方向に延びる複数の溝部３６が設けられる。また、側壁３１ａ、３１ｂ上には溝部３５及び溝部３６により区画される複数の陸部３７が形成される。
【００５９】  図１３は狭窄通路３１の溝部３５上を通る背面断面図を示している。狭窄通路３１の両側壁３１ａ、３１ｂ上には表面を曲線状に蛇行して溝部３５及び陸部３７が形成される。側壁３１ａ上の溝部３５は側壁３１ｂ上の陸部３７に対向し、側壁３１ａ上の陸部３７は側壁３１ｂ上の溝部３５に対向する。溝部３５及び陸部３７は断面波形に形成され、両者の境界壁が傾斜する。このため、冷気流通方向に垂直な断面上で両側壁３１ａ、３１ｂは互いに平行を保つように配され、狭窄通路３１の幅ｄは一定に形成される。
【００６０】  これにより、狭窄通路３１の圧力損失が大きくなるため庫内側からパッキン２１及びパッキン２２に到達する冷気を削減することができる。従って、ヒータ５２（図４参照）の駆動時間を削減し、冷蔵庫１の省電力化を図ることができる。
【００６１】  また、溝部３６（図１２参照）を設けることにより、狭窄通路３１の圧力損失をより大きくすることができる。尚、溝部３６を設けずに溝部３５のみを設けてもよく、溝部３５を設けずに溝部３６のみを設けてもよい。また、パッキン２１、２２の長手方向に延設される溝部３６は１本でもよい。
【００６２】  扉１３及び扉１４を閉じた際に両側壁３１ａ、３１ｂの陸部３７はパッキン２１、２２の突合せ面Ｋよりも外側に配され、Ｘ方向に離れて配される。枢支軸３ａ及び枢支軸４ａで枢支される扉１３、１４の開放端は経年変化や扉１３、１４に載置する貯蔵物の重量によりそれぞれ降下することがある。このため、両側壁３１ａ、３１ｂの陸部３７が両側壁３１ａ、３１ｂの対向する方向（Ｘ方向）に離れることにより、通路形成部３０の上下方向の干渉を防止することができる。
【００６３】  また、通路形成部３０はライナー１３ｂ及びライナー１４ｂ上にＡＢＳ樹脂等の成型品の別部材を配して形成してもよい。しかし、本実施形態では通路形成部３０をライナー１３ｂ及びライナー１４ｂにより形成するため、扉１３、１４の内部に充填される発泡断熱材２０が陸部３７の内部にも一体に充填される。これにより、通路形成部３０の熱容量を極めて大きくでき、狭窄通路３１を通過する冷気によって通路形成部３０が降温されてしまうことを抑制できる。このため、通路形成部３０の庫外側に配されるパッキン２１及びパッキン２２の温度を冷気よりも高く維持することができ、ヒータ５２（図４参照）の駆動時間をより削減することができる。
【００６４】  図１４は図６の通路形成部４０上を通るＢ−Ｂ断面図を示しており、図１５は図５の通路形成部４０上を通るＡ−Ａ断面図を示している。扉１７の背面及び本体部２の前面に設けた通路形成部４０により、スリット状の狭窄通路４１（図１６参照）が形成される。
【００６５】  通路形成部４０は正面視矩形に形成され、水平部４２及び垂直部４３を有している。水平部４２により形成される狭窄通路４１はパッキン２７の上辺及び下辺の長手方向（Ｘ方向）に延び、Ｚ方向に冷気が流通する。垂直部４３により形成される狭窄通路４１はパッキン２７の両側辺の長手方向（Ｚ方向）に延び、Ｘ方向に冷気が流通する。
【００６６】  図１６は狭窄通路４１の断面図を示している。通路形成部４０の表面は狭窄通路４１の側壁４１ａ及び側壁４１ｂを形成する。狭窄通路４１の両側壁４１ａ、４１ｂ上には複数の溝部４５が所定の周期で並設される。水平部４２（図１５参照）の狭窄通路４１の溝部４５はＸ方向に並設してＺ方向に延びる。垂直部４３（図１４参照）の狭窄通路４１の溝部４５はＺ方向に並設してＸ方向に延びる。また、側壁４１ａ及び側壁４１ｂ上には溝部４５により区画される複数の陸部４７が形成される。
【００６７】  側壁４１ａ上の溝部４５は側壁４１ｂ上の陸部４７に対向し、側壁４１ａ上の陸部４７は側壁４１ｂ上の溝部４５に対向する。溝部４５及び陸部４７は断面台形状に形成され、両者の境界壁が傾斜する。このため、冷気流通方向に垂直な断面上で両側壁４１ａ、４１ｂは平行に形成され、狭窄通路４１の幅ｄは一定に形成される。
【００６８】  これにより、狭窄通路４１の圧力損失が大きくなるため庫内側からパッキン２７に到達する冷気を削減することができる。従って、冷凍サイクルの運転時間が短くても放熱パイプ５１によりパッキン２７の結露を防止することができる。
【００６９】  また、扉１７を閉じた際に両側壁４１ａ、４１ｂの一方の陸部４７が他方の溝部４５内に進入する。扉１７はレール７ｄ（図５参照）により支持されるため上下方向の位置ずれが小さく、陸部４７が溝部４５に進入しても通路形成部４０の干渉が生じない。これにより、狭窄通路４１の幅ｄを小さくして圧力損失をより大きくすることができる。
【００７０】  尚、扉１７の上下方向の位置ずれが大きい場合には扉１３、１４の狭窄通路３１と同様に、狭窄通路４１の両側壁４１ａ、４１ｂの陸部４７を両側壁４１ａ、４１ｂの対向する方向（Ｙ方向）に離れて配置してもよい。
【００７１】  また、上記した扉１３、１４の降下量が小さく（例えば、溝部３５の並設周期の１／４以下）、扉１３、１４の降下による通路形成部３０の上下方向の干渉の懸念が生じない場合は、上記の狭窄通路４１と同様に扉１３、１４の狭窄通路３１の陸部３７を溝部３５に進入させてもよい。
【００７２】  次に、本実施形態の冷蔵庫１の冷蔵室３の通路形成部３０の溝部３５、３６の有無によるパッキン２１、２２の温度を比較した。周囲の温度３０℃、周囲の湿度７０％で扉１３、１４の開閉後に冷蔵室３の庫内温度が５℃に到達時点でパッキン２１、２２の温度を測定した。その結果、溝部３５、３６を設けた場合は設けない場合に比較してパッキン２１、２２の温度が１．５℃上昇した。これにより、ヒータ５２の駆動時間を削減することができる。
【００７３】  本実施形態によると、パッキン２１〜２８の庫内側にスリット状の狭窄通路３１、４１を形成する。狭窄通路３１の対向する側壁３１ａ、３１ｂは溝部３５、３６と、溝部３５、３６により区画される陸部３７とを有する。溝部３５はパッキン２１、２２の長手方向に複数並設され、溝部３６はパッキン２１、２２の長手方向に延設される。また、狭窄通路４１の対向する側壁４１ａ、４１ｂは溝部４５と、溝部４５により区画される陸部４７とを有する。溝部４５はパッキン２３〜２８の長手方向に複数並設される。
【００７４】  これにより、狭窄通路３１及び狭窄通路４１の圧力損失を大きくすることができ、パッキン２１〜２８に到達する冷気を削減することができる。従って、パッキン２１、２２の近傍に設けたヒータ５２の駆動時間を削減して冷蔵庫１の省電力化を図ることができる。また、冷凍サイクルの運転時間が短くても、パッキン２３〜２８上の結露を防止することができる。
【００７５】  また、狭窄通路３１、４１の一方の側壁３１ａ、４１ａ上の陸部３７、４７と他方の側壁３１ｂ、４１ｂ上の溝部３５、４５とが対向する。これにより、狭窄通路３１、４１の幅ｄが流路に垂直な断面上で一定になり、溝部３５、４５の大きさに拘わらず容易に狭窄通路３１、４１の圧力損失を大きくすることができる。
【００７６】  また、左右に並設した扉１３、１４の対向する側面上にそれぞれパッキン２１、２２が配され、狭窄通路３１の両側壁３１ａ、３１ｂ上の陸部３７がＸ方向に離れて配置される。これにより、通路形成部３０の干渉を防止することができる。
【００７７】  また、パッキン２１、２２の後方で扉１３、１４の対向する両側面が後方を互いに離れる方向に傾斜するため、扉１３、１４の開閉時の干渉を防止することができる。この時、溝部３５を上下方向に並設することにより、扉１３、１４の間隔の狭い狭窄通路３１の前端部に溝部３５を配置することができる。従って、狭窄通路３１の圧力損失をより大きくすることができる。
【００７８】  また、狭窄通路４１の一方の側壁４１ａ上の陸部４７が他方の側壁４１ｂ上の溝部４５内に進入するので、狭窄通路４１の幅ｄを小さくして狭窄通路４１の圧力損失をより大きくすることができる。
【００７９】  また、パッキン２３〜２８が扉１３〜１８と貯蔵室の周壁の前面との間に配され、狭窄通路４１が扉１３〜１８と貯蔵室の周壁の前面との間に形成される。これにより、スリット状の狭窄通路４１を容易に実現することができる。
【００８０】  また、隣接する溝部３５と陸部３７との境界壁及び隣接する溝部４５と陸部４７との境界壁が傾斜するので、流路断面上で幅ｄが一定の狭窄通路３１、４１を容易に形成することができる。
【００８１】  また、扉や本体部２の内部に充填される発泡断熱材２０が一体に陸部３７及び陸部４７の内部に充填されるので、パッキン２１〜２８の温度を冷気よりも高く維持することができる。従って、ヒータ５２の駆動時間をより短縮できるとともに、パッキン２３〜２８の結露をより確実に防止することができる。
【００８２】  また、パッキン２１、２２の長手方向に並設した溝部３５上の流路断面において、狭窄通路３１の両側壁３１ａ、３１ｂの沿面距離の和をＴ、狭窄通路３１の断面積をＡ、狭窄通路３１の両側壁３１ａ、３１ｂの間隔の最小値をｄとした時に、Ｔ／Ａ＞２／ｄにした。これにより、狭窄通路３１の圧力損失を確実に大きくすることができる。
【００８３】  同様に、パッキン２３〜２８の長手方向に並設した溝部４５上の流路断面において、狭窄通路４１の両側壁４１ａ、４１ｂの沿面距離の和をＴ、狭窄通路４１の断面積をＡ、狭窄通路４１の両側壁４１ａ、４１ｂの間隔の最小値をｄとした時に、Ｔ／Ａ＞２／ｄにした。これにより、狭窄通路４１の圧力損失を確実に大きくすることができる。
【００８４】  ＜第２実施形態＞  次に、図１７は第２実施形態の冷蔵庫１の扉１３及び扉１４の上面図を示している。また、図１８、図１９は冷凍室７の側面断面図及び上面断面図を示している。本実施形態は前述の図１〜図１６に示す第１実施形態に対し、通路形成部４０の配置が異なっている。その他の部分は第１実施形態と同様である。
【００８５】  冷蔵室３の扉１３の背面の周部には閉じた際に冷蔵室３の周壁の前面に接するパッキン２３が設けられる。扉１３の突出部１３ｃ及び冷蔵室３の周壁の内面には狭窄通路４１（図１６参照）を形成する一対の通路形成部４０が設けられる。
【００８６】  同様に、扉１４の背面の周部には閉じた際に冷蔵室３の周壁の前面に接するパッキン２４（図２参照）が設けられる。扉１４の突出部１４ｃ及び冷蔵室３の周壁の内面には狭窄通路４１を形成する一対の通路形成部４０が設けられる。
【００８７】  また、冷凍室７の扉１７の背面の周部には閉じた際に冷凍室７の周壁の前面に接するパッキン２７が設けられる。扉１７の突出部１７ｃ及び冷凍室７の周壁の内面には狭窄通路４１（図１６参照）を形成する一対の通路形成部４０が設けられる。また、扉１５、扉１６及び扉１８にも同様の構成の通路形成部４０が設けられる。
【００８８】  これにより、狭窄通路４１はパッキン２３〜２８の庫内側に配される。通路形成部４０の水平部４２により形成される狭窄通路４１はパッキン２３〜２８の上辺及び下辺の長手方向（Ｘ方向）に延び、Ｙ方向に冷気が流通する。垂直部４３により形成される狭窄通路４１はパッキン２３〜２８の両側辺の長手方向（Ｚ方向）に延び、Ｙ方向に冷気が流通する。
【００８９】  本実施形態によると第１実施形態と同様の効果を得ることができる。また、パッキン２３〜２８が扉１３〜１８と貯蔵室の周壁の前面との間に配され、狭窄通路４１が扉１３〜１８と貯蔵室の周壁の内面との間に形成される。これにより、スリット状の狭窄通路４１を容易に実現することができる。
【００９０】  また、隣接する扉１７、１８のパッキン２７、２８が当接する断熱壁１０（図２参照）の前面に通路形成部４０が設けられないため、断熱壁１０の前面のスペースを小さくできる。これにより、断熱壁１０が冷凍室７と野菜室８との間の断熱厚さよりも厚く形成されることがなく、冷蔵庫１の容積効率を向上することができる。隣接する扉１３と扉１５との間、隣接する扉１４と扉１６との間、隣接する扉１５と扉１７との間についても同様に断熱壁９（図２参照）及び仕切部１２の厚みが大きくならず、冷蔵庫１の容積効率を向上することができる。
【００９１】  ＜第３実施形態＞  次に、図２０は第３実施形態の冷蔵庫１の狭窄通路３１の背面図を示している。本実施形態は前述の図１〜図１６に示す第１実施形態に対し、狭窄通路３１の形状が異なっている。その他の部分は第１実施形態と同様である。
【００９２】  扉１３、１４間の狭窄通路３１の一方の側壁３１ｂはライナー１４ｂにより平坦面に形成される。狭窄通路３１の他方の側壁３１ａはライナー１３ｂにより形成され、側壁３１ａ上にはＺ方向に並設される複数の溝部３５及び陸部３７が形成される。これにより、狭窄通路３１の圧力損失が大きくなるため庫内側からパッキン２１及びパッキン２２に到達する冷気を削減することができる。これにより、ヒータ５２（図４参照）の駆動時間を削減し、冷蔵庫１の省電力化を図ることができる。
【００９３】  本実施形態によると、第１実施形態と同様の効果を得ることができる。尚、各通路形成部４０（図５参照）により形成される狭窄通路４１を本実施形態の狭窄通路３１と同様に形成してもよい。
【００９４】  ＜第４実施形態＞  次に、図２１は第４実施形態の冷蔵庫１の狭窄通路３１の背面図を示している。本実施形態は前述の図１〜図１６に示す第１実施形態に対し、狭窄通路３１の形状が異なっている。その他の部分は第１実施形態と同様である。
【００９５】  扉１３、１４間の狭窄通路３１の両側壁３１ａ、３１ｂ上には表面の蛇行により溝部３５及び陸部３７が形成される。側壁３１ａ上の陸部３７は側壁３１ｂ上の陸部３７に対向して配置される。これにより、狭窄通路３１の圧力損失が大きくなるため庫内側からパッキン２１及びパッキン２２に到達する冷気を削減することができる。これにより、ヒータ５２（図４参照）の駆動時間を削減し、冷蔵庫１の省電力化を図ることができる。
【００９６】  本実施形態によると、第１実施形態と同様の効果を得ることができる。尚、各通路形成部４０（図５参照）により形成される狭窄通路４１を本実施形態の狭窄通路３１と同様に形成してもよい。
【００９７】  第１〜第４実施形態において、パッキン２１、２２の近傍のヒータ５２を省いた冷蔵庫１であってもよい。この時、狭窄通路３１の圧力損失を大きくすることにより、パッキン２１、２２の結露を低減することができる。また、溝部３５、溝部３６及び溝部４５が両端面を開放されるが、一端面を閉じて他端面を開放した形状でもよく、両端面を閉じた所謂ディンプル形状でもよい。
【産業上の利用可能性】
【００９８】  本発明によると、パッキンにより貯蔵室を密閉する冷蔵庫に利用することができる。
【符号の説明】
【００９９】      １      冷蔵庫      ２      断熱箱体      ３      冷蔵室      ５      製氷室      ６、７  冷凍室      ７ｃ    収納ケース      ７ｄ    レール      ８      野菜室      ９、１０  断熱壁    １１      仕切壁    １２      仕切部    １３、１４、１５、１６、１７、１８  扉    １３ａ、１４ａ  枢支軸    １３ｂ、１４ｂ、１７ｂ  ライナー    １３ｃ、１４ｃ、１７ｃ  突出部    ２０      発泡断熱材    ２１〜２８  パッキン    ２１ａ、２２ａ  磁石    ３０、４０  通路形成部    ３１、４１  狭窄通路    ３１ａ、３１ｂ、４１ａ、４１ｂ  側壁    ３５、３６、４５、Ｍ  溝部    ３７、４７、Ｎ  陸部    ４２      水平部    ４３      垂直部    ５１      放熱パイプ    ５２      ヒータ    ５３      冷却器    ５４      冷気通路      Ｋ      突合せ面
【図１】
2018211716.tif 000003
【図２】
2018211716.tif 000004
【図３】
2018211716.tif 000005
【図４】
2018211716.tif 000006
【図５】
2018211716.tif 000007
【図６】
2018211716.tif 000008
【図７】
2018211716.tif 000009
【図８】
2018211716.tif 000010
【図９】
2018211716.tif 000011
【図１０】
2018211716.tif 000012
【図１１】
2018211716.tif 000013
【図１２】
2018211716.tif 000014
【図１３】
2018211716.tif 000015
【図１４】
2018211716.tif 000016
【図１５】
2018211716.tif 000017
【図１６】
2018211716.tif 000018
【図１７】
2018211716.tif 000019
【図１８】
2018211716.tif 000020
【図１９】
2018211716.tif 000021
【図２０】
2018211716.tif 000022
【図２１】
2018211716.tif 000023
【国際調査報告】
2018211716.tif 000024
2018211716.tif 000025
2018211716.tif 000026
2018211716.tif 000027